(57)【要約】【課題】搬送手段に対して自由なブランクシートＳの両端部Ｓ1 、Ｓ1 が勢いよく噴出するヒートブローエアー等の加熱手段のエアーによって吹き上げられても加熱抑制手段に接触することが回避でき、擦過傷が発生することを回避できるヒートエアーブロー方式のヒートシール領域加熱装置を提供する。【解決手段】ブランクシートＳをその搬送幅方向の中央部を挟み付け保持しながら所定の間隔を以て１枚ずつ搬送するブランクシート搬送手段と、ブランクシートＳの一面を加熱して該ブランクシートＳのヒートシール領域の熱可塑性樹脂製シーラント層を貼着可能な面に溶融するブランクシート加熱手段と、該加熱手段に対向して噴出するクールエアーａ2 にて該ブランクシートＳの他面を冷却するブランクシート加熱抑制手段とを備え、前記ブランクシートの過加熱を抑制しつつ、ブランクシートＳの非接触状態を保持する。【選択図】図１
2006334798.tif 000002
【特許請求の範囲】
【請求項１】
ブランクシートをその搬送幅方向の中央部を挟み付け保持しながら所定の間隔を以て１枚ずつ順次所定の速度にて搬送するブランクシート搬送手段と、そのブランクシートＳの一面にヒートエアーａ1 を噴出させるヒートエアーブロアー２１を支持部２２に取り付け支持し、噴出するヒートエアーａ1 にて該ブランクシートＳの一面を加熱して該ブランクシートＳのヒートシール領域の熱可塑性樹脂製シーラント層を貼着可能な面に溶融するブランクシート加熱手段と、該ブランクシート加熱手段に対向して前記ブランクシートＳの他面に所定の間隔を置いてクールエアーａ2 を噴出させるクールエアーブロアー２５を支持部２６に取り付け支持し、噴出するクールエアーａ2 にて該ブランクシートＳの他面を冷却するブランクシート加熱抑制手段とを備え、噴出する前記クールエアーにより前記ブランクシートの過加熱を抑制しつつ、前記ブランクシート加熱手段及びブランクシート加熱抑制手段に対してブランクシートＳの非接触状態を保持することを特徴とするカートンブランクシートのヒートシール領域加熱装置。
【請求項２】
請求項１記載のヒートシール領域加熱装置において、前記ブランクシート搬送手段は、駆動回転プーリー又はスプロケット１１、１２に巻回されて回転するスチール製の下部エンドレス搬送ベルト又はエンドレスチェーン１３と、駆動回転プーリー又はスプロケット１４、１５に巻回されて回転するスチール製の上部エンドレス搬送ベルト又はエンドレスチェーン１６により構成され、ブランクシートＳの搬送幅方向の中央部を挟み付けながら所定の間隔を以て搬送することを特徴とするカートンブランクシートのヒートシール領域加熱装置。
【請求項３】
請求項１又は２記載のヒートシール領域加熱装置において、前記ブランクシート加熱手段にて噴出するヒートエアーａ1 のエアー噴出圧と前記ブランクシート加熱抑制手段にて噴出するクールエアーａ2 のエアー噴出圧は略同圧であり、且つそれぞれ該ブランクシート加熱手段及びブランクシート加熱抑制手段に対するブランクシートＳの非接触状態を保持することを特徴とするカートンブランクシートのヒートシール領域加熱装置。
【請求項４】
請求項１又は２記載のヒートシール領域加熱装置において、前記ブランクシート加熱手段にて噴出するヒートエアーａ1 のエアー噴出圧よりも、前記ブランクシート加熱抑制手段にて噴出するクールエアーａ2 のエアー噴出圧が低圧であり、且つそれぞれ該ブランクシート加熱手段及びブランクシート加熱抑制手段に対するブランクシートＳの非接触状態を保持することを特徴とするカートンブランクシートのヒートシール領域加熱装置。
【請求項５】
請求項１又は２記載のヒートシール領域加熱装置において、前記ブランクシート加熱手段にて噴出するヒートエアーａ1 のエアー噴出圧よりも、前記ブランクシート加熱抑制手段にて噴出するクールエアーａ2 のエアー噴出圧が高圧であり、且つそれぞれ該ブランクシート加熱手段及びブランクシート加熱抑制手段に対するブランクシートＳの非接触状態を保持することを特徴とするカートンブランクシートのヒートシール領域加熱装置。
【請求項６】
請求項１乃至５のいずれか１項記載のカートンブランクシートのヒートシール領域加熱装置において、各々前記ブランクシート加熱手段と前記ブランクシート加熱抑制手段とを互いに整合した状態で対向して備えることを特徴とするカートンブランクシートのヒートシール領域加熱装置。
【請求項７】
請求項１乃至５のいずれか１項記載のカートンブランクシートのヒートシール領域加熱装置において、各々前記ブランクシート加熱手段と前記ブランクシート加熱抑制手段とを、互いにブランクシート搬送方向又はブランクシート搬送幅方向にずれた状態で対向して備えることを特徴とするカートンブランクシートのヒートシール領域加熱装置。
【請求項８】
請求項１乃至７のいずれか１項記載のカートンブランクシートのヒートシール領域加熱装置において、該ヒートシール領域加熱装置のブランクシート搬送幅方向両側に、前記ブランクシート搬送手段を挟んで各々前記ブランクシート加熱手段と前記ブランクシート加熱抑制手段とを備えることを特徴とするカートンブランクシートのヒートシール領域加熱装置。
【請求項９】
請求項８記載のカートンブランクシートのヒートシール領域加熱装置において、該ヒートシール領域加熱装置のブランクシート搬送幅方向の両側に、前記ブランクシート搬送手段を挟んで備える各々前記ブランクシート加熱手段と前記ブランクシート加熱抑制手段のうち、該ブランクシート搬送幅方向の一方側のブランクシート加熱手段とブランクシート加熱抑制手段の対向位置と、他方側のブランクシート加熱手段とブランクシート加熱抑制手段の対向位置とが、互いに逆に配置されていることを特徴とするカートンブランクシートのヒートシール領域加熱装置。
【発明の詳細な説明】
【技術分野】
【０００１】
本発明は、牛乳やジュースや酒類等の液体包装用パック等の液体包装紙製容器や紙箱等のカートンケースを製函するために用いられるブランクシートのヒートシール領域に設けられた熱可塑性樹脂製シーラント層を加熱ためのカートンブランクシートのヒートシール領域加熱装置に関する。
【背景技術】
【０００２】
一般的に紙箱等のカートンケースを製函するために用いられる製函用ブランクシートは製函組み立て貼着用のヒートシール領域を備えている。
【０００３】
例えば、直方体や立方体形状のカートンケースの製函用ブランクシート等は、図６の展開平面図に示すように、天面板１の左右端部に各々折目ａ、ａを介して連設されたそれぞれ左右の側面板２、２と、該天面板１の前後端部に各々折目ｂ、ｂを介して連設された前後の側面板３、３と、一方の前側面板３の端部に前記折目ｂと平行な折目ｃを介して連設された底面板４とを備え、前記左右の各々側面板２、２の外側には、折目ａと平行な折目ｄを介して連設されたそれぞれ差込板２ａを備え、前記前後の各々側面板３、３の外側には、折目ａの延長線上の折目ｅを介して連設されたそれぞれフラップ板３ａ、３ａを備え、前記底面板４の外側端部には、折目ｃと平行な折目ｆを介して連設された他方の後側面板３の外面に貼着される貼着板４ａを備えている。
【０００４】
そして、前記ブランクシートＳの表面（容器外面側）又は／及び裏面（容器内面側）の全面、あるいは前記ブランクシートＳの一部の面、例えば貼着板４ａが貼着される他方の前記後側面板３の表面（外面）又は／及び裏面（内面）と、各々前後の側面板３、３の一方側のそれぞれフラップ板３ａ、３ａの表面（外面）又は／及び裏面（内面）には、熱可塑性樹脂製の塗布シーラント層又はラミネートフィルム層が形成されてヒートシール領域Ｅ（斜線部）を備えている。
【０００５】
このようなブランクシートＳは、組み立て製函時にヒートシール領域加熱装置に導入することにより、そのブランクシートＳの後側面板３やフラップ板３ａに形成されたヒートシール領域Ｅの熱可塑性樹脂製シーラント層を加熱して貼着可能な面を形成し、その面に左側面板２や貼着板４ａを重ね合わせ貼着することにより直方体や立方体形状のカートンケース製函される。
【０００６】
ところで、ブランクシートＳの片面（通常は表面）に形成された上記ヒートシール領域Ｅの熱可塑性樹脂製シーラント層を加熱するための従来のヒートシール領域加熱装置としては、例えば図５の側面図に示すように、スチール製の下部エンドレス搬送ベルト又はエンドレスチェーン１３（駆動回転プーリー又はスプロケット１１、１２）とスチール製の上部エンドレス搬送ベルト又はエンドレスチェーン１６（駆動回転プーリー又はスプロケット１４、１５）により、ブランクシートＳの搬送幅方向の中央部を挟み付けながら所定の間隔を以て搬送する搬送ベルト等の搬送手段により、ブランクシートＳを１枚ずつ順次所定の速度にて搬送しながら、そのブランクシートＳの下方に配置したガスバーナー３１（上向きのバーナーノズル部３３、ガスｇの流路３１ａ）を支持部３２（ガスｇの流路３１ａ）に取り付け支持した加熱手段により、該ブランクシートＳの下面をガスバーナーフレーム３４にて加熱することによりブランクシートＳのヒートシール領域の熱可塑性樹脂製シーラント層を加熱して貼着可能な面を形成するガスバーナーフレーム加熱方式によるヒートシール領域加熱装置がある。
【０００７】
しかしながら、ガスバーナーフレーム３４等の過剰な加熱によっては、ブランクシートＳのヒートシール領域にある熱可塑性樹脂製シーラント層を劣化させたり、スチール製の上下のエンドレス搬送ベルトを劣化させる原因となるために、ガスバーナーフレーム２４の強度や加熱温度の精度ある制御が必要となる。
【０００８】
また図６（ａ）の側面図に示すように、下部エンドレス搬送ベルト又はエンドレスチェーン１３（駆動回転プーリー又はスプロケット１１、１２）と上部エンドレス搬送ベルト又はエンドレスチェーン１６（駆動回転プーリー又はスプロケット１４、１５）により、ブランクシートＳの搬送幅方向の中央部を挟み付けながら所定の間隔を以て搬送する搬送ベルト等の搬送手段により、ブランクシートＳを１枚ずつ順次所定の速度にて搬送しながら、そのブランクシートＳの下方に備えたヒートエアー（熱風）を噴出させるヒートエアーブロアー４１（ブローノズル部４３、ヒートエアーａの流路４１ａ）を支持部４２（ヒートエアーａのガス流路４１ａ）に取り付け支持した加熱手段により、該ブランクシートＳの下面を噴出するヒートブローエアー４４にて加熱することにより、ブランクシートＳのヒートシール領域の熱可塑性樹脂製シーラント層を加熱して貼着可能な面を形成するとともに、そのブランクシートＳの上方に所定の間隔を置いて配置した冷水が内部に循環供給されるウォーターチューブ４５（冷却盤）を支持部４６に取り付け支持した加熱抑制手段（又は冷却手段）により過加熱を抑制するヒートエアーブロー方式のヒートシール領域加熱装置がある。
【０００９】
しかしながら、ウォーターチューブ４５等の前記加熱抑制手段は、冷却による加熱抑制効果を考慮したときには、搬送される加熱されたブランクシートＳに対して、なるべく近接して配置する必要がある。
【００１０】
また、その一方で、図６（ｂ）（図６（ａ）の右正面図）に示すように、加熱されるブランクシートＳの搬送手段に対して自由なシート両端部Ｓ1 、Ｓ1 側は、勢いよく噴出するヒートブローエアー４４によって吹き上げられて、加熱抑制手段のウォーターチューブ４５等の冷却盤の下面に搬送中のブランクシートＳ上面が接触し易く、ブランクシートＳに加熱抑制手段との間で擦過傷が発生し易いものである。
【発明の開示】
【発明が解決しようとする課題】
【００１１】
本発明は、搬送手段に対して自由なブランクシートＳの両端部Ｓ1 、Ｓ1 が、勢いよく噴出するヒートブローエアー等の加熱手段のエアーによって吹き上げられても、加熱抑制手段に接触することが回避でき、搬送中の加熱されたブランクシートＳ上面が加熱抑制手段に接触してブランクシートＳに擦過傷が発生することを回避できるヒートエアーブロー方式のヒートシール領域加熱装置を提供することにある。
【課題を解決するための手段】
【００１２】
本発明の請求項１に係る発明は、ブランクシートをその搬送幅方向の中央部を挟み付け保持しながら所定の間隔を以て１枚ずつ順次所定の速度にて搬送するブランクシート搬送手段と、そのブランクシートＳの一面にヒートエアーａ1 を噴出させるヒートエアーブロアー２１を支持部２２に取り付け支持し、噴出するヒートエアーａ1 にて該ブランクシートＳの一面を加熱して該ブランクシートＳのヒートシール領域の熱可塑性樹脂製シーラント層を貼着可能な面に溶融するブランクシート加熱手段と、該ブランクシート加熱手段に対向して前記ブランクシートＳの他面に所定の間隔を置いてクールエアーａ2 を噴出させるクールエアーブロアー２５を支持部２６に取り付け支持し、噴出するクールエアーａ2 にて該ブランクシートＳの他面を冷却するブランクシート加熱抑制手段とを備え、噴出する前記クールエアーにより前記ブランクシートの過加熱を抑制しつつ、前記ブランクシート加熱手段及びブランクシート加熱抑制手段に対してブランクシートＳの非接触状態を保
持することを特徴とするカートンブランクシートのヒートシール領域加熱装置である。
【００１３】
本発明の請求項２に係る発明は、上記請求項１に係るヒートシール領域加熱装置において、前記ブランクシート搬送手段は、駆動回転プーリー又はスプロケット１１、１２に巻回されて回転するスチール製の下部エンドレス搬送ベルト又はエンドレスチェーン１３と、駆動回転プーリー又はスプロケット１４、１５に巻回されて回転するスチール製の上部エンドレス搬送ベルト又はエンドレスチェーン１６により構成され、ブランクシートＳの搬送幅方向の中央部を挟み付けながら所定の間隔を以て搬送することを特徴とするカートンブランクシートのヒートシール領域加熱装置である。
【００１４】
本発明の請求項３に係る発明は、上記請求項１又は２に係るヒートシール領域加熱装置において、前記ブランクシート加熱手段にて噴出するヒートエアーａ1 のエアー噴出圧と前記ブランクシート加熱抑制手段にて噴出するクールエアーａ2 のエアー噴出圧は略同圧であり、且つそれぞれ該ブランクシート加熱手段及びブランクシート加熱抑制手段に対するブランクシートＳの非接触状態を保持することを特徴とするカートンブランクシートのヒートシール領域加熱装置である。
【００１５】
本発明の請求項４に係る発明は、上記請求項１又は２に係るヒートシール領域加熱装置において、前記ブランクシート加熱手段にて噴出するヒートエアーａ1 のエアー噴出圧よりも、前記ブランクシート加熱抑制手段にて噴出するクールエアーａ2 のエアー噴出圧が低圧であり、且つそれぞれ該ブランクシート加熱手段及びブランクシート加熱抑制手段に対するブランクシートＳの非接触状態を保持することを特徴とするカートンブランクシートのヒートシール領域加熱装置である。
【００１６】
本発明の請求項５に係る発明は、上記請求項１又は２に係るヒートシール領域加熱装置において、前記ブランクシート加熱手段にて噴出するヒートエアーａ1 のエアー噴出圧よりも、前記ブランクシート加熱抑制手段にて噴出するクールエアーａ2 のエアー噴出圧が高圧であり、且つそれぞれ該ブランクシート加熱手段及びブランクシート加熱抑制手段に対するブランクシートＳの非接触状態を保持することを特徴とするカートンブランクシートのヒートシール領域加熱装置である。
【００１７】
本発明の請求項６に係る発明は、上記請求項１乃至５のいずれか１項に係るカートンブランクシートのヒートシール領域加熱装置において、各々前記ブランクシート加熱手段と前記ブランクシート加熱抑制手段とを互いに整合した状態で対向して備えることを特徴とするカートンブランクシートのヒートシール領域加熱装置である。
【００１８】
本発明の請求項７に係る発明は、上記請求項１乃至５のいずれか１項に係るカートンブランクシートのヒートシール領域加熱装置において、各々前記ブランクシート加熱手段と前記ブランクシート加熱抑制手段とを、互いにブランクシート搬送方向又はブランクシート搬送幅方向にずれた状態で対向して備えることを特徴とするカートンブランクシートのヒートシール領域加熱装置である。
【００１９】
本発明の請求項８に係る発明は、上記請求項１乃至７のいずれか１項に係るカートンブランクシートのヒートシール領域加熱装置において、該ヒートシール領域加熱装置のブランクシート搬送幅方向両側に、前記ブランクシート搬送手段を挟んで各々前記ブランクシート加熱手段と前記ブランクシート加熱抑制手段とを備えることを特徴とするカートンブランクシートのヒートシール領域加熱装置である。
【００２０】
本発明の請求項９に係る発明は、上記請求項８に係るカートンブランクシートのヒートシール領域加熱装置において、該ヒートシール領域加熱装置のブランクシート搬送幅方向
の両側に、前記ブランクシート搬送手段を挟んで備える各々前記ブランクシート加熱手段と前記ブランクシート加熱抑制手段のうち、該ブランクシート搬送幅方向の一方側のブランクシート加熱手段とブランクシート加熱抑制手段の対向位置と、他方側のブランクシート加熱手段とブランクシート加熱抑制手段の対向位置とが、互いに逆に配置されていることを特徴とするカートンブランクシートのヒートシール領域加熱装置である。
【発明の効果】
【００２１】
本発明のヒートシール領域加熱装置は、ブランクシート搬送手段にてブランクシートＳを所定の間隔を以て１枚ずつ順次所定の速度にて搬送しながら、ブランクシート加熱手段にて、そのブランクシートＳの下方にヒートエアーａ1 を噴出させ、該ブランクシートＳの下面を加熱してヒートシール領域の熱可塑性樹脂製シーラント層（例えば、図３に示すヒートシール領域Ｅ1 、Ｅ2 の熱可塑性樹脂製シーラント層、図４に示すヒートシール領域Ｅの熱可塑性樹脂製シーラント層）を貼着可能な面に溶融するとともに、ブランクシート加熱抑制手段にて、該ブランクシートＳの上面にクールエアーａ2 を噴出させ、前記ブランクシートＳの過加熱を抑制しつつ、該ブランクシート加熱抑制手段に対して非接触状態を保持するものである。
【００２２】
本発明のヒートシール領域加熱装置は、ブランクシートＳを加熱手段から噴出するヒートエアーにより加熱してヒートシール領域の熱可塑性樹脂製シーラント層（例えば、図３に示すヒートシール領域Ｅ1 、Ｅ2 の熱可塑性樹脂製シーラント層、図４に示すヒートシール領域Ｅの熱可塑性樹脂製シーラント層）を貼着可能な面として形成できるとともに、ブランクシート搬送手段に対して自由なブランクシートＳの両端部Ｓ1 、Ｓ1 が、該加熱手段から勢いよく噴出するヒートエアーによって吹き上げられても、ブランクシート加熱抑制手段から噴出するクールエアーにより、ブランクシートＳが加熱抑制手段に接触することを回避することができる。
【００２３】
このように、本発明装置は、ブランクシートＳの過加熱を抑制しつつ、該ブランクシート加熱抑制手段に対して非接触状態を保持することができ、搬送中の加熱されたブランクシートＳが加熱抑制手段に接触することによる該ブランクシートＳの擦過傷の発生を回避することができる。
【発明を実施するための最良の形態】
【００２４】
本発明のカートンブランクシートのヒートシール領域加熱装置を、図１（ａ）の側面図及び図１（ｂ）の正面図に基づいて以下に詳細に説明する。
【００２５】
本発明のカートンブランクシートのヒートシール領域加熱装置は、図１（ａ）〜（ｂ）に図示するように、ブランクシートＳを、その上下面にて所定の速度にて送行する下部搬送エンドレスベルト１３と、上部搬送ベルト１６とにて挟み付けながら、所定の間隔を以て１枚ずつ順次所定の速度にて、図１（ａ）の左から右方向に搬送するブランクシート搬送手段を備える。
【００２６】
前記ブランクシート搬送手段の下部搬送ベルト１３と上部搬送ベルト１６にて挟み付けられたブランクシートＳの下方には、ブランクシート加熱手段が配置されていて、該ブランクシート加熱手段は、ヒートエアーａ1 （温度は特に限定されないが、例えば、温度：９０℃〜１８０℃、又は１８０〜２００℃）を噴出させるヒートエアーブロアー２１が、ブランクシートＳの搬送方向に平行に支持部２２に取り付け支持されて構成されている。なお、ヒートエアーブロアー２１には、ヒートエアーａ1 の流路２１ａとブローノズル部２３とを備えている。
【００２７】
前記ブランクシート加熱手段のヒートエアーブロアー２１は、そのブローノズル部２３
から噴出するヒートエアーａ1 にて、ブランクシートＳの下面を加熱し、該ブランクシートＳのヒートシール領域の熱可塑性樹脂製シーラント層を貼着可能な面に溶融する。
【００２８】
前記下部搬送ベルト１３と上部搬送ベルト１６にて挟み付けられたブランクシートＳの上方には、ブランクシート加熱抑制手段が配置されていて、該ブランクシート加熱抑制手段は、該ブランクシートＳの上方に所定の間隔を置いて、クールエアーａ2 （温度は特に限定されないが、例えば、温度：５℃〜１０℃あるいは１０℃〜６０℃）を噴出させるクールエアーブロアー２５が、ブランクシートＳの搬送方向に平行に支持部２６に取り付け支持されて構成されている。なお、クールエアーブロアー２５内には、クールエアーａ2 の流路２５ａとブローノズル部２７とを備えている。
【００２９】
前記ブランクシート加熱抑制手段のクールエアーブロアー２５は、そのノズル部２７から噴出するクールエアーａ2 にてブランクシートＳの上面を冷却し、噴出するクールエアーａ2 により、前記ブランクシートＳの下面に向かって噴出する上記ヒートエアーａ1 による過加熱を抑制しつつ、このブランクシート加熱抑制手段本体（クールエアーブロアー２５）に対して非接触状態を保持するものである。
【００３０】
上記の本発明のカートンブランクシートのヒートシール領域加熱装置のブランクシート搬送手段は、図１（ｂ）の右正面図に示すように、下部搬送ベルト１３と上部搬送ベルト１６にて、ブランクシートＳの搬送幅方向の中央部（図示）又は所定位置を、所定の保持幅を以て挟み付け保持しながら、所定の間隔を以て１枚ずつ順次所定の速度にて搬送するものである。
【００３１】
前記ブランクシート搬送手段は、例えば、駆動回転プーリー１１、１２に巻回されて回転するスチール製の下部エンドレス搬送ベルト１３と、駆動回転プーリー１４、１５に巻回されて回転するスチール製の上部エンドレス搬送ベルト１６により構成されるものであるが、例えば、その他に駆動回転スプロケット１１、１２に巻回して回転する押し爪付きエンドレスチェーン１３でもよく、本発明におけるブランクシート搬送手段としては、ブランクシートＳの幅方向の一部位置（例えば、中央部又は中央部に近接した位置、あるいは片側端部又は両端部、あるいはそれら端部に近接した位置）を保持しながら搬送できる構造のものであれば特に限定されるものではない。
【００３２】
前記ブランクシート搬送手段によるブランクシートＳの保持位置や保持幅は、ヒートシール領域の位置や領域幅により適宜に設定できるが、なるべく熱可塑性樹脂製シーラント層の形成されたヒートシール領域とオーバーラップをしない幅が適当であり、例えば、ブランクシートＳの搬送幅方向の中央部又は中央部に近接した位置、あるいは片側端部又は両端部、あるいはそれら端部に近接した位置にて、ブランクシートＳ全幅の１／１０〜１／３を挟み付け保持しながら、所定の間隔を以て１枚ずつ順次所定の速度にて搬送するものである。
【００３３】
本発明のヒートシール領域加熱装置の前記ブランクシート加熱手段であるヒートエアーａ1 を噴出させるヒートエアーブロアー２１は、支持部２２をモーターやエアーシリンダーにて駆動する昇降手段（図示せず）に取り付けることにより、ブランクシートＳの搬送方向に平行に該ブランクシートＳの下面に対して加熱操作に適当な位置に接近、離反させることができるようになっている。
【００３４】
また、本発明のヒートシール領域加熱装置の前記ブランクシート加熱抑制手段であるクールエアーａ2 を噴出させるクールエアーブロアー２５は、支持部２６をモーターやエアーシリンダーにて駆動する昇降手段（図示せず）に取り付けることにより、ブランクシートＳの搬送方向に平行に該ブランクシートＳの上面に対して、過加熱の抑制操作に適当な
位置に接近、離反させることができるようになっている。
【００３５】
本発明のヒートシール領域加熱装置においては、前記ブランクシート加熱手段にて噴出するヒートエアーａ1 のエアー噴出圧に対する前記ブランクシート加熱抑制手段にて噴出するクールエアーａ2 のエアー噴出圧は、略同圧であってもよいし、あるいは低圧であってもよいし、あるいは高圧であってもよいが、噴出する前記クールエアーａ2 により、ブランクシートＳの過加熱を抑制しつつ、前記ブランクシート加熱抑制手段（クールエアーブロアー２５本体）に対して、なるべく非接触状態を保持するように、噴出圧を制御することが適当である。
【００３６】
本発明のヒートシール領域加熱装置の他の実施の形態としては、図２に示すように、該ヒートシール領域加熱装置において、ブランクシートＳの搬送幅方向の両側に、上記ブランクシート搬送手段を挟んで、各々１対１組乃至数組の前記ブランクシート加熱手段と前記ブランクシート加熱抑制手段とを備えている。
【００３７】
そして、上記ブランクシート搬送手段を挟んで各々１対乃至数組の前記ブランクシート加熱手段と前記ブランクシート加熱抑制手段のうち、ブランクシート搬送幅方向の一方側のブランクシート加熱手段とブランクシート加熱抑制手段の対向位置と、他方側のブランクシート加熱手段とブランクシート加熱抑制手段の対向位置とが互いに逆に配置されているものである。
【００３８】
図２に示すように、該ヒートシール領域加熱装置において、ブランクシート搬送手段を挟んでブランクシート搬送幅方向の一方側には、搬送されるブランクシートＳの下面側にヒートエアーａ1 を噴出させるヒートエアーブロアー２１を支持部２２に取り付け支持し、噴出するヒートエアーａ1 にて該ブランクシートＳの下面を加熱して該ブランクシートＳのヒートシール領域の熱可塑性樹脂製シーラント層を貼着可能な面に溶融するブランクシート加熱手段を配置し、該ブランクシート加熱手段に対向して、所定の間隔を置いてクールエアーａ2 を噴出させるクールエアーブロアー２５を支持部２６に取り付け支持し、噴出するクールエアーａ2 にて該ブランクシートＳの上面を冷却するブランクシート加熱抑制手段を前記ブランクシートＳの上面側に配置している。
【００３９】
他方、前記ブランクシート搬送手段を挟んでブランクシート搬送幅方向の他方側には、搬送されるブランクシートＳの上面側にヒートエアーａ1 を噴出させるヒートエアーブロアー２１を支持部２２に取り付け支持し、噴出するヒートエアーａ1 にて該ブランクシートＳの上面を加熱して該ブランクシートＳのヒートシール領域の熱可塑性樹脂製シーラント層を貼着可能な面に溶融するブランクシート加熱手段を配置し、該ブランクシート加熱手段に対向して、所定の間隔を置いてクールエアーａ2 を噴出させるクールエアーブロアー２５を支持部２６に取り付け支持し、噴出するクールエアーａ2 にて該ブランクシートＳの下面を冷却するブランクシート加熱抑制手段を前記ブランクシートＳの下面側に配置している。
【００４０】
図１（ｂ）及び図２の正面図に示す本発明装置におけるブランクシートＳの搬送幅方向のブランクシート加熱手段のヒートエアーブロアー２１によるヒートエアーａ1 のブロー（吹き出し）幅Ｗ1 と、ブランクシート加熱抑制手段のクールエアーブロアー２５によるクールエアーａ2 のブロー（吹き出し）幅Ｗ2 は、それぞれブランクシートＳの搬送幅方向のヒートシール領域（図３、図４にて後述するヒートシール領域Ｅ1 、Ｅ2 又はＥ）の幅に対応して、そのヒートエアーブロアー２１本体の幅や、クールエアーブロアー２５本体の幅の調整、あるいは各々ブローノズル部２３、２７の開閉操作によって適宜に設定することができ、また、ブランクシートＳ面との離間距離ｄも、ヒートシール領域の加熱温度条件等によって、各ヒートエアーブロアー２１、クールエアーブロアー２５の設置位置
を調整することにより適宜に設定することができる。
【００４１】
本発明装置により搬送する上記ブランクシートＳとしては、例えば、図３に示すように牛乳やジュースや酒類等の液体包装用パック等の液体密封包装用の紙製容器を製函するために用いられるブランクシートＳがある。
【００４２】
このブランクシートＳは、図３の展開図に示すように各々平行な折目ａ、ｂ、ｃ、及びｄを介して容器の角筒状胴部となるそれぞれ側面板１、２、３、４、及び貼着板５と、前記折目ａ、ｂ、ｃ、及びｄと直交方向の各々折目ｅを介してトップ部となるそれぞれ上面板６、７、８、９と、前記折目ｅと平行な各々折目ｆを介してボトム部となるそれぞれ底面板１０、１１、１２、１３とが連設され、前記各々上面板６、７、８、９に、前記折目ｅと平行な各々折目ｉを介してそれぞれ貼着板６ａ、７ａ、８ａ、９ａが連設され、前記各々底面板１０、１１、１２に亘って、前記折目ｆと平行な各々折目ｊを介してそれぞれ貼着板１０ａ、１１ａ、１２ａが連設されていて、前記上面板６、８には、二等辺折目ｇ、ｇによるそれぞれ二等辺三角形板が形成され、前記底面板１０、１２には、二等辺折目ｈ、ｈによるそれぞれ二等辺三角形板が形成され、前記上面板７には必要に応じて注出口栓を取り付ける孔設部７ｂが貫設されているものである。
【００４３】
そして、前記ブランクシートＳの表面（容器外面側）又は／及び裏面（容器内面側）の全面には、熱可塑性樹脂製の塗布シーラント層又はラミネートフィルム層が形成されてヒートシール領域を備え、例えば、図３に示すようにヒートシール領域Ｅ1 、Ｅ2 を備えている。なお、図３において、直線矢印Ｘは、ブランクシートＳの搬送方向を示す。
【００４４】
また、本発明装置によりヒートシール領域を加熱するための上記ブランクシートＳとしては、例えば図４にて前述した紙箱等のカートンケース製函用のブランクシートＳであってもよい。なお、図４において、直線矢印Ｘは、ブランクシートＳの搬送方向を示す。
【００４５】
図３に示す上記ブランクシートＳにおいては、例えば、図示するようにブランクシートＳの両端部に沿ってヒートシール領域Ｅ1 、Ｅ2 （斜線部）が設けられ、例えば、図１（ａ）〜（ｂ）に示す本発明装置により、ブランクシートＳをヒートシール領域Ｅ1 、Ｅ2 の長手方向に搬送しながら、該ヒートシール領域Ｅ1 、Ｅ2 の両方の領域を、該ブランクシートＳの表面（外面）又は裏面（内面）のうちいずれか一方面側からブランクシート加熱手段により加熱操作し、その他方面からブランクシート加熱抑制手段により加熱抑制操作するものである。
【００４６】
また、同図３に示す上記ブランクシートＳにおいては、例えば、図示するようにブランクシートＳの両端部に沿ってヒートシール領域Ｅ1 、Ｅ2 が設けられ、例えば、図２に示す本発明装置により、ブランクシートＳをヒートシール領域Ｅ1 、Ｅ2 の長手方向に搬送しながら、該ヒートシール領域Ｅ1 、Ｅ2 のうち貼着板５側のヒートシール領域Ｅ1 を、該ブランクシートＳの表面（外面）側からブランクシート加熱手段により加熱操作し、その他方面（ブランクシートＳの裏面（内面）側からブランクシート加熱抑制手段により加熱抑制操作するとともに、ヒートシール領域Ｅ2 を、該ブランクシートＳの裏面（内面）側からブランクシート加熱手段により加熱操作し、その他方面（ブランクシートＳの表面（外面）側からブランクシート加熱抑制手段により加熱抑制操作するものである。
【図面の簡単な説明】
【００４７】
【図１】（ａ）は本発明のヒートシール領域加熱装置の一実施例における側面図、（ｂ）はそのヒートシール領域加熱装置の正面図。
【図２】本発明のヒートシール領域加熱装置の他の実施例における正面図。
【図３】一般的な液体密封包装用の紙製容器等のカートンブランクシートの展開平面図。
【図４】一般的な紙箱等のカートンブランクシートの展開平面図。
【図５】従来のガスバーナーフレーム加熱方式のヒートシール領域加熱装置の側面図。
【図６】（ａ）は従来のウォーターチューブを用いたヒートエアーブロー加熱方式のヒートシール領域加熱装置の側面図、（ｂ）はその正面図。
【符号の説明】
【００４８】
Ｓ…ブランクシート
Ｅ、Ｅ1 、Ｅ2 …ヒートシール領域
ａ1 …ヒートエアー
ａ2 …クールエアー
１１、１２、１４、１５…プーリー（又はスプロケット）
１３…下部搬送ベルト
１６…上部搬送ベルト
２１…ヒートエアーブロアー
２２…支持部
２３…ブローノズル部
２５…クールエアーブロアー
２６…支持部
２７…ブローノズル部
【図１】
2006334798.tif 000003
【図２】
2006334798.tif 000004
【図３】
2006334798.tif 000005
【図４】
2006334798.tif 000006
【図５】
2006334798.tif 000007
【図６】
2006334798.tif 000008